【手続補正書】
【提出日】令和2年8月3日(2020.8.3)
【手続補正１】
【補正対象書類名】明細書
【補正対象項目名】全文
【補正方法】変更
【補正の内容】
【発明の詳細な説明】
【発明の名称】装飾シート及び座席
【技術分野】
【０００１】
本発明は、繊維質基材の表面を装飾する模様を含む装飾シートと、座席に関する。
【背景技術】
【０００２】
基材の装飾に関する技術が提案されている。例えば、特許文献１には、３次元外観を与えるパターンが印刷された基材が開示されている。基材は、不織ウェブ又は不織布、プラスチックフィルム及びそれらの積層体である。パターンは、繰り返しパターンとされる。繰り返しパターンは、実質的に同じ全体形状を有する少なくとも約１０個のマクロ単位を含む。パターンの形成は、基材表面への印刷によって行われる。印刷には、インクジェット印刷が用いられる。各マクロ単位は、異なるレベルのコントラストを有する３つ以上の色ゾーンを有する。色ゾーンは、最も暗いものから最も明るいものまで遷移する。基材背景色によって１つの色ゾーンが規定される。色ゾーンの残りの部分は、印刷される。明るい領域によって、基材表面から突出する隆起領域から光が強烈に反射される外観が与えられる。暗い領域によって、隆起領域が基材の他の領域に影を落としている外観が与えられる。
【先行技術文献】
【特許文献】
【０００３】
【特許文献１】特表２０１０−５１０８６１号公報
【発明の概要】
【発明が解決しようとする課題】
【０００４】
各種製品の表面には、装飾シートが設けられる。装飾シートは、各種製品の表地となる。装飾シートは、繊維質基材の表面に装飾用の模様を含む。装飾シートにより、製品の意匠性を高めることができる。発明者は、製品の意匠性を向上させることができる装飾技術について検討した。
【０００５】
本発明は、製品の意匠性を向上させることが可能な装飾シートと、意匠性を有する座席を提供することを目的とする。
【課題を解決するための手段】
【０００６】
本発明の一側面は、繊維質基材と、前記繊維質基材の表面を装飾する第一模様と、を含み、前記第一模様は、前記繊維質基材の表面に付着した樹脂製の樹脂部により形成され、前記第一模様では、前記繊維質基材の表面からの前記樹脂部の高さは、前記繊維質基材の表面上で変化する、装飾シートである。
【０００７】
この場合、前記第一模様では、前記樹脂部の高さは、前記繊維質基材の表面内の任意の第一方向に沿って変化する、ようにしてもよい。更に、前記第一模様では、前記樹脂部の高さは、前記第一方向に沿って漸次変化する、ようにしてもよい。また、前記第一模様では、前記樹脂部の高さは、前記第一方向に交差する前記繊維質基材の表面内の第二方向に沿って変化する、ようにしてもよい。更に、前記第一模様では、前記樹脂部の高さは、前記第二方向に沿って漸次変化する、ようにしてもよい。
【０００８】
また、上述の各装飾シートでは、前記樹脂部は、前記樹脂製の複数の凸部を含み、前記第一模様は、前記繊維質基材の表面に付着した前記複数の凸部により形成され、前記複数の凸部は、前記繊維質基材の表面からの高さが異なる複数種の凸部を含む、ようにしてもよい。この場合、前記第一模様では、前記複数の凸部は、前記繊維質基材の表面内の任意の第一方向に配列される、ようにしてもよい。更に、前記第一模様では、前記複数の凸部は、前記第一方向に第一間隔で配列される、ようにしてもよい。また、前記第一模様では、前記複数の凸部は、前記第一方向に交差する前記繊維質基材の表面内の第二方向に配列される、ようにしてもよい。更に、前記第一模様では、前記複数の凸部は、前記第二方向に第二間隔で配列される、ようにしてもよい。
【０００９】
上記の各装飾シートによれば、装飾シートの質感を向上させることができる。装飾シートに立体感を付与することができる。装飾シートの看者に、第一模様の連続的な変化を視覚及び触覚によって感じさせることができる。装飾シートを表地とした製品で、デザインの自由度を高めることができる。
【００１０】
装飾シートは、前記繊維質基材の表面を装飾する第二模様を含み、前記第二模様は、明度、色相及び彩度の一部又は全部が連続して変化するグラデーションを含む、ようにしてもよい。この場合、前記第一模様と前記第二模様とは、隣り合う状態で、前記繊維質基材の表面に配置される、ようにしてもよい。この他、前記第一模様と前記第二模様とは、重なり合う状態で、前記繊維質基材の表面に配置される、ようにしてもよい。
【００１１】
この構成によれば、デザインのバリエーションを豊かにすることができる。２個の異なる第一模様と第二模様で、立体感を表現することができる。第一模様と第二模様を隣り合う状態で配置した場合、第一模様から第二模様への変化又は第二模様から第一模様への変化を滑らかな印象とすることができる。第一模様と第二模様を重なり合う状態で配置した場合、立体感を強調することが可能となる。
【００１２】
本発明の他の側面は、上述した何れかの装飾シートを表地とした座席である。この座席によれば、上述した機能を奏する座席とすることができる。
【００１３】
本発明の更に他の側面は、繊維質基材と、前記繊維質基材の表面を装飾する第一模様と、前記繊維質基材の表面を装飾する第二模様と、を含み、前記第一模様は、前記繊維質基材の表面に付着した樹脂製の樹脂部により形成され、前記第二模様は、明度、色相及び彩度の一部又は全部が連続して変化するグラデーションを含み、前記第一模様では、前記繊維質基材の表面からの前記樹脂部の高さは、前記繊維質基材の表面上で変化する、座席である。
【００１４】
この座席によれば、座席の質感を向上させることができる。座席に立体感を付与することができる。２個の異なる第一模様と第二模様で、立体感を表現することができる。座席の看者に、第一模様の連続的な変化を視覚及び触覚によって感じさせることができる。座席で、デザインの自由度を高め、デザインのバリエーションを豊かにすることができる。
【発明の効果】
【００１５】
本発明によれば、製品の意匠性を向上させることが可能な装飾シートと、意匠性を有する座席を得ることができる。
【図面の簡単な説明】
【００１６】
【図１】装飾シートの概略構成の一例を示す斜視図である。第一模様の部分拡大図を示す。
【図２】装飾シートの概略構成の他の例を模式的に示す斜視図である。
【図３】複数の凸部の各高さの変化の状態を示す図である。上段は、図２に示すＡ−Ａ線部分断面図である。中段及び下段は、図２に示すＢ−Ｂ線部分断面図である。中段の図示範囲は、第二方向の中心から第三側である。下段の図示範囲は、第二方向の中心から第四側である。
【図４】傾斜角の評価に関するサンプル１，２の部分断面写真である。サンプル１，２で測定対象とした範囲の一部を示す。上段は、図１に示す装飾シートに対応するサンプル１の断面を示す。下段は、図９に示す装飾シートに対応するサンプル２の断面を示す。
【図５】Ｌ＊ａ＊ｂ＊表色系による第二模様の色の評価に関するサンプル１の表面の一部を示す写真である。第二模様における色の測定位置を示す。
【図６】複数の凸部が１列に配列された第一模様を模式的に示す斜視図である。
【図７】装飾シートの概略構成の更に他の例を模式的に示す斜視図である。
【図８】装飾シートの概略構成の更に他の例を模式的に示す斜視図である。
【図９】装飾シートの概略構成の更に他の例を示す斜視図である。第一模様の外縁領域の部分拡大図を示す。
【図１０】複数の凸部の各高さの変化の状態を示す図である。図９に示す装飾シートに対応する装飾シートを、図９に示すＣ−Ｃ線又はＤ−Ｄ線の位置に対応する各位置で切断した場合の模式的な部分断面図である。
【図１１】装飾シートの概略構成の更に他の例を模式的に示す斜視図である。
【図１２】装飾シートの概略構成の更に他の例を模式的に示す斜視図である。
【図１３】装飾シートの概略構成の更に他の例を模式的に示す斜視図である。
【図１４】装飾シートの概略構成の更に他の例を模式的に示す斜視図である。
【発明を実施するための形態】
【００１７】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１８】
＜装飾シート＞
装飾シート１０について、図１〜図３を参照して説明する。装飾シート１０は、所定の製品の表面に設けられる。例えば、装飾シート１０は、所定の製品の表地となる。前述の製品としては、座席が例示される。座席には、輸送機器に設けられるシートが含まれる。例えば、座席には、カーシートが含まれる。更に、座席には、ソファーと椅子が含まれる。装飾シート１０は、前述の各製品以外の製品の表地であってもよい。この他、装飾シート１０は、カバー類の素材となる。カバー類は、所定の製品に被せられる。カバー類としては、シートカバーが例示される。シートカバーは、座席に装着される。更に、装飾シート１０は、例えば、各種の内装材、床材、建材、鞄の素材、靴の素材又は衣料の素材として用いることもできる。前述の内装材としては、車両用又は建築用の内装材が例示される。車両用の内装材としては、天井材、ドア材又はフロア材が例示される。建築用の内装材としては、クロスが例示される。クロスは、建築物の内壁又は天井に貼り付けられる。建材としては、前述した建築用の内装材の他、外壁材が例示される。
【００１９】
装飾シート１０は、繊維質基材２０と、第一模様３０と、第二模様４０を含む（図１及び図２参照）。繊維質基材２０は、繊維を含み、表面が合成樹脂により被覆されたシート状の基材である。即ち、実施形態では、装飾シート１０は、所定の製品の表地となる繊維質のシート材、又は所定の製品の表地とされた繊維質のシート材である。装飾シート１０が上述した座席の表地である場合、又は上述した所定の製品の素材若しくは所定の製品として用いられる場合、繊維質基材２０としては、例えば、皮革が採用される。皮革には、合成皮革と人工皮革と塩化ビニルレザーと天然皮革が含まれる。繊維質基材２０としては、製品に応じた所定の素材が適宜選択される。この場合、繊維質基材２０としては、表面が合成樹脂で被覆されていない繊維質の基材が選択されてもよい。このような繊維質基材２０としては、布帛が例示される。布帛には、例えば、織物と編物と不織布が含まれる。更に、繊維質基材２０は、例えば、紙製の基材又は紙を含む基材であってもよい。繊維質基材２０が紙を含む基材である場合、紙の表面は、合成樹脂で被覆されていてもよい。繊維質基材２０の表面は、所定の色とされる。例えば、背景色が黒色である装飾シート１０を例とすると、繊維質基材２０は、表面が黒色である繊維質基材としてもよい。繊維質基材２０の表面色は、諸条件を考慮して適宜決定される。
【００２０】
第一模様３０と第二模様４０は、共に繊維質基材２０の表面を装飾する模様である（図１及び図２参照）。第一模様３０と第二模様４０は、繊維質基材２０の表面に形成される。繊維質基材２０の表面への第一模様３０と第二模様４０の形成には、例えば、記録方法が用いられる。即ち、第一模様３０と第二模様４０は、繊維質基材２０の表面に記録される。記録方法によれば、繊維質基材２０の表面にフルカラーの模様を記録することができる。記録方法は、例えば、インクジェット記録装置で実行される。インクジェット記録装置による記録方法については、後述する。
【００２１】
第一模様３０は、樹脂製の樹脂部３１により形成される（図１及び図２参照）。樹脂部３１は、繊維質基材２０の表面に付着する。第一模様３０は、繊維質基材２０の表面からの樹脂部３１の高さＨが変化する領域を含む。装飾シート１０では、樹脂部３１は、樹脂製の複数の凸部３１を含む。即ち、装飾シート１０では、第一模様３０は、樹脂部３１としての複数の凸部３１により形成される。複数の凸部３１は、繊維質基材２０の表面に付着する。複数の凸部３１は、繊維質基材２０の表面からの高さＨが異なる複数種の凸部を含む。実施形態では、樹脂部３１を複数の凸部３１とし、複数の凸部３１による第一模様３０を例として説明する。凸部３１として、四角錐の凸部を例示する。複数の凸部３１は、樹脂部３１の一実施形態である。従って、樹脂部３１及び凸部３１には、同じ符号「３１」を付している。
【００２２】
第一模様３０では、複数の凸部３１は、第一方向に配列される。更に、第一模様３０では、複数の凸部３１は、第二方向に配列される。例えば、図２に示す装飾シート１０の第一模様３０では、複数の凸部３１は、第一方向に第一間隔Ｗ１で配列され（図３上段参照）、第二方向に第二間隔Ｗ２で配列される（図３中段及び下段参照）。即ち、複数の凸部３１は、第一方向に隣り合う２個の凸部３１が第一距離Ｗ１だけ離間した状態で、第一方向に配列される。更に、複数の凸部３１は、第二方向に隣り合う２個の凸部３１が第二距離Ｗ２だけ離間した状態で、第二方向に配列される。図３中段及び下段で、高さＨが最も高い凸部３１は、同じ凸部である。即ち、図３上中下の各段で、高さＨが最も高い凸部３１は、図２に示す複数の凸部３１のうち、第一方向の第一側で第二方向の中心に設けられた高さＨが最も高い凸部である。
【００２３】
第一方向と第二方向は、繊維質基材２０の表面内の任意の方向である。但し、第二方向は、第一方向に交差する方向である。図１では、第二方向は、第一方向に直交しない。図２並びに後述する図７〜図９及び図１１〜図１４では、第二方向は、第一方向に直交する。前述の各図における第一方向及び第二方向の関係は、例示である。繊維質基材２０の表面内で、第一方向と第二方向の各向きは、第一模様３０のデザインに応じて変化する。実施形態では、第一間隔Ｗ１と第二間隔Ｗ２は、同一寸法に設定されている。但し、第一間隔Ｗ１と第二間隔Ｗ２は、異なる寸法に設定されてもよい。
【００２４】
複数の凸部３１が高さＨが異なる複数種の凸部を含む点に関し、図２に示す装飾シート１０の第一模様３０を例として、図３に基づき説明する。複数の凸部３１の各高さＨは、第一方向に沿って漸次変化する（図３上段参照）。更に、複数の凸部３１の各高さＨは、第二方向に沿って漸次変化する（図３中段及び下段参照）。即ち、図２及び図３に示す第一模様３０では、その全体で、複数の凸部３１の各高さＨは、第一方向の第一側から第二側に向かうに従い漸次低くなり、第二方向の中心から第三側及び第四側の各側に向かうに従い漸次低くなる。
【００２５】
図２及び図３に示す第一模様３０では、複数の凸部３１の各高さＨは、次のように設定されている。即ち、第一方向に第一間隔Ｗ１で配列される複数の凸部３１では、各凸部３１の高さＨは、各凸部３１の頂部が所定の傾きの仮想直線Ｌ１に沿った高さとなる（図３上段参照）。第二方向の中心から第三側に第二間隔Ｗ２で配列される複数の凸部３１では、各凸部３１の高さＨは、各凸部３１の頂部が所定の傾きの仮想直線Ｌ２に沿った高さとなる（図３中段参照）。第二方向の中心から第四側に第二間隔Ｗ２で配列される複数の凸部３１では、各凸部３１の高さＨは、各凸部３１の頂部が所定の傾きの仮想直線Ｌ３に沿った高さとなる（図３下段参照）。図２及び図３に示す第一模様３０では、仮想直線Ｌ１，Ｌ２，Ｌ３の傾斜角θが等しくなる模様を例示している（図３参照）。但し、このような例示とは異なり、第一模様３０は、仮想直線Ｌ１，Ｌ２，Ｌ３の一部又は全部で傾斜角θが異なる態様としてもよい。第一方向及び／又は第二方向の各列又は所定の列の複数の凸部３１に対する傾斜角θは、諸条件を考慮して適宜設定される。
【００２６】
第二模様４０は、明度、色相及び彩度の一部又は全部が連続して変化するグラデーションを含む。図２に示す装飾シート１０では、第二模様４０のグラデーションで色の変化する方向は、第一方向とされている。但し、第二模様４０のグラデーションで色の変化する方向は、第一方向及び／又は第二方向とは異なる方向であってもよい。第二模様４０を形成するグラデーションは、第二模様４０をどのようなデザインとするかに応じて適宜決定される。第二模様４０は、第一方向の第一側で第一模様３０と隣り合う。即ち、第一模様３０と第二模様４０は、第一方向に隣り合う状態で、繊維質基材２０の表面に配置される。
【００２７】
＜第一模様及び第二模様の評価＞
発明者は、後述するような優れた効果が得られる実施形態の装飾シート１０に関し、次の評価１，２を行った。評価１により、第二模様４０との間で意匠の連続的な変化を表現可能な第一模様３０で、複数の凸部３１の各高さＨが漸次変化する領域の傾斜角θを明らかにした。評価２により、第二模様４０のグラデーションの色の変化を明らかにした。評価１，２は、図１に示す装飾シート１０に対応するサンプル１に基づき行った。
【００２８】
以下、サンプル１を対象とした評価１，２により得られた結果を説明する。その際、上記との対応を明らかにするため、実施形態の装飾シート１０の各部に対応するサンプル１の各部には、上記で用いた符号と同じ符号を付して説明する。
【００２９】
＜評価１＞
評価１では、サンプル１を対象として、複数の凸部３１の各高さＨが漸次変化する第一模様３０の領域の傾斜角θを求めた。サンプル１では、第一模様３０は、高さＨが最高の凸部３１と最低の凸部３１の間で、各凸部３１の高さＨが漸次変化する領域を含む。例えば、高さＨが最高の凸部３１を基準とした場合、最高の凸部３１から最低の凸部３１の間では、各凸部３１の高さＨは、最低の凸部３１の側に漸次低くなる。
【００３０】
評価１では、最高及び最低の各凸部３１の高さＨを、次の方法にて測定した。その後、以下に示す式１から、傾斜角θを求めた。式１から明らかな通り、傾斜角θは、高さＨが漸次変化する複数の凸部３１の各頂部に沿った仮想直線の傾きに対応する。
＜凸部の高さ測定方法＞
手順１：サンプルを直線Ｋに沿って切断
手順２：サンプルの切断面を次の構成のマイクロスコープにて撮影
手順３：手順２の撮影画像を対象として最高及び最低の各凸部３１の高さＨを測定
＜マイクロスコープ構成＞
装置本体：株式会社キーエンス製  ＶＨＸ−Ｓ１５
レンズ：株式会社キーエンス製  ＶＨ−Ｚ１００
ディスプレイ：株式会社キーエンス製  ＶＨＸ−２００
【数１】
2019025226.tif 000001
【００３１】
手順１での切断は、カッターにて行った。直線Ｋ（図１参照）によって示される切断位置は、同一平面内で第一方向及び第二方向に交差する方向に沿った範囲とした。手順３での測定は、スケールを用いた目視による測定とした。測定の結果、サンプル１では、最高及び最低の各凸部３１の高さＨの差ΔＨは、９４．９８７μｍであった（図４上段参照）。サンプル１では、最高及び最低の各凸部３１間の距離Ｇは、９０ｍｍであった。従って、式１から、サンプル１の傾斜角θとして、０．０６０４８°が得られた。図４下段のサンプル２及び発明者が好ましいと考える傾斜角θの範囲に関する説明は、後述する。
【００３２】
＜評価２＞
評価２では、評価１と同様、サンプル１を対象として、第二模様４０のＬ＊ａ＊ｂ＊表色系におけるＬ＊値とａ＊値とｂ＊値を測定した。Ｌ＊値は、明度指数と称される。ａ＊値とｂ＊値は、クロマティクネス指数と称される。ａ＊値とｂ＊値は、色相と彩度を示す色度に対応する。ａ＊値（＋）は、赤方向を示し、ａ＊値（−）は、緑方向を示す。ｂ＊値（＋）は、黄方向を示し、ｂ＊値（−）は、青方向を示す。Ｌ＊ａ＊ｂ＊表色系は、国際照明委員会で規格化（ＣＩＥ  １９７６）され、ＪＩＳにおいても規定（ＪＩＳ  Ｚ  ８７８１−４）された色の表示方法である。従って、前述の測定は、ＪＩＳ  Ｚ  ８７８１−４に準拠した。
【００３３】
Ｌ＊値とａ＊値とｂ＊値の測定には、コニカミノルタジャパン株式会社製の分光測色計（ＣＭ−２５００ｄ）を用いた。光源は、Ｄ６５とした。観察視野は、１０°とした。測定位置は、図５に示すサンプル１の位置Ｐ１〜Ｐ４の４箇所とした。図５に示すサンプル１の表面領域は、図１に示す装飾シート１０の表面の一部に対応する。その後、位置Ｐ１のＬ＊値を基準として、位置Ｐ２，Ｐ３，Ｐ４との明度差ΔＬ＊を、式２により求めた。位置Ｐ１のＬ＊値とａ＊値とｂ＊値を基準として、位置Ｐ２，Ｐ３，Ｐ４との色差ΔＥ＊ａｂを、式３により求めた。位置Ｐ１のａ＊値とｂ＊値を基準として、位置Ｐ２，Ｐ３，Ｐ４との彩度差ΔＣ＊を、式４により求めた。式２〜４で、Ｌ＊値とａ＊値とｂ＊値に対する下付の符号「Ｐ１」は、位置Ｐ１のＬ＊値とａ＊値とｂ＊値が代入されることを示す参照符号であり、Ｌ＊値とａ＊値とｂ＊値に対する下付の符号「Ｐ２，Ｐ３，Ｐ４」は、位置Ｐ２，Ｐ３，Ｐ４の各位置のＬ＊値とａ＊値とｂ＊値がそれぞれ代入されることを示す参照符号である。
【数２】
2019025226.tif 000002
【数３】
2019025226.tif 000003
【数４】
2019025226.tif 000004
【００３４】
評価２により得られた結果を表１に示す。
【表１】
2019025226.tif 000005
【００３５】
発明者は、表１に示す結果から、第二模様４０のグラデーションとして、次のような態様が好ましいと考える。即ち、明度差ΔＬ＊の絶対値は、２以上とするとよい。色差ΔＥ＊ａｂの絶対値は、８以上とするとよい。彩度差ΔＣ＊の絶対値は、６以上とするとよい。
【００３６】
＜記録方法＞
インクジェット記録装置で実行される記録方法について、その概略を説明する。記録方法では、所定の種類のインクが用いられる。記録方法で用いられるインクとしては、活性エネルギー硬化型インクが例示される。活性エネルギー硬化型インクとしては、紫外線硬化型インクと電子線硬化型インクが例示される。活性エネルギー硬化型インクは、例えば、顔料と、反応性モノマー及び／又は反応性オリゴマーと、光重合開始剤を含み、更に必要に応じて添加剤を含む。活性エネルギー硬化型インクは、既に実用化されたインクである。従って、活性エネルギー硬化型インクに関するこの他の説明は、省略する。記録方法の説明では、インクは、紫外線硬化型インクとする。記録方法では、第一模様３０と第二模様４０に対応させた色のインクが用いられる。例えば、シアンとマゼンタとイエローとブラックのインクが用いられる。更に、シアンとマゼンタとイエローの淡色系である、ライトシアンとライトマゼンタとライトイエローのインクが用いられてもよい。この他、クリアのインクが用いられてもよい。
【００３７】
インクジェット記録装置は、公知のインクジェット記録装置と同様、例えば、搬送部と、各色用のインクジェットヘッドと、照射部を備える。搬送部は、搬送面に載せ置かれた繊維質基材２０を搬送する。各色用のインクジェットヘッドは、対応する色のインクを吐出する。各色のインクは、搬送部により搬送されている繊維質基材２０の表面に着弾する。照射部は、インクが着弾した繊維質基材２０の表面に紫外線を照射する。紫外線の照射に伴い、インクが硬化する。第一模様３０では、硬化したインクは、繊維質基材２０の表面に付着した状態で、樹脂製の凸部３１となる。
【００３８】
凸部３１は、１個の凸部３１を形成するインクの量を変化させることで、所定の高さＨに形成される。凸部３１の高さＨを容易に変化させることができる。１個の凸部３１を形成するインクの量は、例えば、繊維質基材２０の表面の同一位置に着弾させるインクの滴数によって変化する。この他、１個の凸部３１を形成するインクの量は、１回の吐出動作で吐出されるインクの体積によって変化する。例えば、凸部３１の高さＨを高くする場合、その凸部３１を配置させる位置には、複数のインクが着弾され、又は体積の大きなインクが着弾される。体積の大きな複数のインクを、繊維質基材２０の表面の同一位置に着弾させてもよい。インクジェット記録装置としては、公知のインクジェット記録装置が採用される。前述のようなインクの吐出動作も、公知の技術である。従って、インクジェット記録装置とインクの吐出動作に関するこの他の説明は、省略する。
【００３９】
記録方法は、例えば、搬送工程と、記録工程と、照射工程を含む。搬送工程では、繊維質基材２０が搬送される。その際、繊維質基材２０は、各色用のインクジェットヘッドが設けられた位置を通過する。更に、繊維質基材２０は、照射部が設けられた位置を通過する。記録工程と照射工程は、搬送工程の実行中に適宜実行される。
【００４０】
記録工程では、各色のインクが各色用のインクジェットヘッドから繊維質基材２０に適宜吐出される。各色用のインクジェットヘッドからの各色のインクの吐出は、次の画像データに従い制御される。前述の画像データは、第一模様３０と第二模様４０を含む画像に対応するデータである。各色用のインクジェットヘッドから吐出された各色のインクは、繊維質基材２０の表面に着弾する。これに伴い、繊維質基材２０の表面には、第一模様３０と第二模様４０が記録される。第一模様３０が記録される場合、インクジェット記録装置では、凸部３１の高さＨに応じて、上述した吐出動作が実行される。照射工程では、照射部から紫外線が繊維質基材２０の表面に照射される。紫外線の照射に伴い、繊維質基材２０の表面に着弾した各色のインクが硬化する。このようにして、装飾シート１０が製造される。
【００４１】
インクジェット記録装置は、シリアル型又はライン型の何れであってもよい。第一模様３０と第二模様４０の記録に、電子線硬化型インクが用いられる場合、インクジェット記録装置には、電子線を照射する照射部が設けられる。照射工程では、上記同様、照射部から電子線が照射される。活性エネルギー硬化型インクが用いられない場合、インクジェット記録装置では、照射部は、省略される。記録方法では、照射工程は、省略される。
【００４２】
＜実施形態の効果＞
実施形態によれば、次のような効果を得ることができる。
【００４３】
（１）装飾シート１０では、第一模様３０が繊維質基材２０の表面に形成される（図１及び図２参照）。第一模様３０は、繊維質基材２０の表面に付着した樹脂製の複数の凸部３１により形成される。複数の凸部３１は、第一方向及び第二方向に配列される。第一模様３０では、複数の凸部３１は、第一方向に一定の間隔で配列され、第二方向に一定の間隔で配列される（図１の部分拡大図及び図３参照）。第一模様３０では、複数の凸部３１の各高さＨは、第一方向に沿って漸次変化する（図１の部分拡大図及び図３上段参照）。第一模様３０では、複数の凸部３１の各高さＨは、第二方向に沿って漸次変化する（図１の部分拡大図と図３中段及び下段参照）。そのため、装飾シート１０の質感を向上させることができる。装飾シート１０に立体感を付与することができる。装飾シート１０の看者に、第一模様３０の連続的な変化を視覚及び触覚によって感じさせることができる。装飾シート１０を表地とした製品で、デザインの自由度を高めることができる。装飾シート１０により、製品の意匠性を向上させることができる。
【００４４】
（２）装飾シート１０では、第二模様４０が繊維質基材２０の表面に形成される（図１及び図２参照）。第二模様４０は、明度、色相及び彩度の一部又は全部が連続的に変化するグラデーションを含む。第一模様３０と第二模様４０は、第一方向に隣り合う状態で、繊維質基材２０の表面に配置される。そのため、デザインのバリエーションを豊かにすることができる。２個の異なる第一模様３０と第二模様４０で、立体感を表現することができる。第一模様３０から第二模様４０への変化又は第二模様４０から第一模様３０への変化を滑らかな印象とすることができる。
【００４５】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は、適宜省略する。
【００４６】
（１）第一模様３０と第二模様４０の形成には、インクジェット記録装置による記録方法が採用される。即ち、第一模様３０と第二模様４０は、インクジェット記録装置の各色用のインクジェットヘッドから吐出された各色のインクによって、繊維質基材２０の表面に記録される。記録方法による第一模様３０と第二模様４０の形成に関し、インクジェット記録装置とは異なる記録装置を採用してもよい。記録方法は、例えば、捺染装置で実行されてもよい。捺染装置による記録方法によっても、上記同様、複数の凸部３１（樹脂部３１）による第一模様３０とグラデーションを含む第二模様４０を、繊維質基材２０の表面に記録することができる。凸部３１は、上記同様、インクの量を変化させることで、所定の高さＨに形成される。
【００４７】
捺染装置は、公知の記録装置であり、捺染装置による模様の記録は、既に実用化されている。従って、これらに関するこの他の説明は、省略する。この変形例では、捺染は、例えば、スクリーン捺染又はローラ捺染を意味する。この変形例の捺染は、インクジェット方式によるデジタル捺染を含まない。インクジェット方式によるデジタル捺染は、上述した、インクジェット記録装置による記録方法の記録工程での記録手法に含まれる。
【００４８】
（２）第一模様３０では、複数の凸部３１は、第一方向に一定の間隔で配列され、第二方向に一定の間隔で配列される（図１の部分拡大図及び図３参照）。複数の凸部３１の第一方向の間隔は、０に設定してもよい。即ち、複数の凸部３１は、第一方向に隙間なく接した状態で配列されてもよい。複数の凸部３１の第二方向の間隔は、０に設定してもよい。即ち、複数の凸部３１は、第二方向に隙間なく接した状態で配列されてもよい。この他、複数の凸部３１は、第一方向及び第二方向の一方又は両方で、一定の間隔で配列されなくてもよい。即ち、複数の凸部３１は、第一方向及び／又は第二方向に任意の間隔で配列されてもよい。
【００４９】
（３）凸部３１として、四角錐の凸部を例示した（図２及び図３と後述する図７参照）。凸部３１が四角錐である場合、底面の形状は、上記とは異なる形状としてもよい。即ち、底面の形状は、例えば、長方形、菱形、平行四辺形及び台形の何れであってもよい。凸部は、四角錐とは異なる錐状又は錐台状としてもよい（不図示）。凸部が四角錐以外の錐状又は錐台状である場合、底面の形状は、正多角形とし、又は正多角形ではない多角形としてもよい。この他、凸部３１は、半球状としてもよい（図６参照）。更に、凸部３１は、柱状としてもよい（図８参照）。即ち、凸部としては、繊維質基材２０の表面から突出した各種の凸形状を採用することができる。凸部の形状は、第一模様をどのようなデザインとするかに応じて適宜決定される。
【００５０】
（４）第一模様３０では、複数の凸部３１は、第一方向及び第二方向に配列される（図１の部分拡大図と図２及び図３参照）。第一模様３０は、複数の凸部３１が第一方向に１列に配置された模様としてもよい（図６参照）。
【００５１】
第一模様３０では、複数の凸部３１の各高さＨは、第一方向に沿って漸次変化する（図１の部分拡大図及び図３上段参照）。第一模様３０では、複数の凸部３１の各高さＨは、第二方向に沿って漸次変化する（図１の部分拡大図と図３中段及び下段参照）。第一模様３０は、複数の凸部３１の各高さＨが第一方向に沿って漸次変化し、第二方向に沿って漸次変化しない模様としてもよい（図７参照）。即ち、図７に示す装飾シート１０の第一模様３０では、第一方向及び第二方向に配列された複数の凸部３１の各高さＨは、第一方向の第一側から第二側に向かうに従い漸次低くなり、第二方向には同一高さとなる。
【００５２】
この他、第一模様３０は、複数の凸部３１が直線的に配列されていない模様としてもよい。例えば、第一模様３０は、複数の凸部３１が同心円状に配置された模様としてもよい（図８参照）。この第一模様３０では、複数の凸部３１の各高さＨは、径方向に沿って漸次変化する。即ち、同心円状に配置された複数の凸部３１の各高さＨは、径方向の中心側から外周側に向かうに従い漸次低くなる。換言すれば、径方向の中心寄りの円周上に配置された複数の凸部３１程、高さＨが高くなり、径方向の中心に位置する凸部３１は、高さＨが最も高い凸部となる。但し、径方向は、２次元の直交座標又は極座標の方向である。従って、図８に示す装飾シート１０では、第一模様３０は、少なくとも第一方向に沿って複数の凸部３１の各高さＨが変化し、又は第一方向及び第二方向に沿って複数の凸部３１の各高さＨが変化する模様であるともいえる。直交座標又は極座標では、第一方向と第二方向は、直交した関係として定義することもできる。
【００５３】
更に、第一模様３０は、図１、図２、図７及び図８に示す装飾シート１０と同様、繊維質基材２０の表面内のまとまった所定の領域に、複数の凸部３１が散在した状態で配置された模様としてもよい。このような模様としては、シボ模様が例示される。第一模様３０がシボ模様である装飾シート１０について、図９及び図１０と図４下段を参照して説明する。図９に示す装飾シート１０は、第二模様４０を含まない。
【００５４】
図９に示す装飾シート１０では、第一模様３０は、楕円状の模様である。従って、この第一模様３０では、複数の凸部３１は、繊維質基材２０上の楕円状の領域に配置される。第一模様３０がシボ模様である場合、複数の凸部３１は、不規則な形状とされ、前述の楕円状の領域に不規則に配置される。図９に示す装飾シート１０では、第一模様３０は、内部領域と外縁領域に区別される。図９で、第一模様３０内に示す２点鎖線は、第一模様３０の外縁領域及び内部領域の境界部分を示唆する説明用の図示である。図９の部分拡大図では、前述の２点鎖線の図示は、省略されている。図９で、前述の境界部分の近傍から外縁領域に破線で示す直線Ｋは、評価１と同様の評価を行ったサンプル２の切断位置を示す説明用の図示である。この評価に関する説明は、後述する。
【００５５】
図９に示す装飾シート１０の第一模様３０では、複数の凸部３１の各高さＨは、内部領域では変化せず、外縁領域では径方向に沿って漸次変化する（図１０参照）。つまり、内部領域では、複数の凸部３１は、同等の高さの凸部となる。外縁領域では、複数の凸部３１は、上述した装飾シート１０（図１、図２、図７及び図８参照）と同様、高さＨが異なる複数種の凸部を含む。径方向については、上述した通りである。従って、図９に示す装飾シート１０では、第一模様３０は、少なくとも第一方向に沿って複数の凸部３１の各高さＨが変化し、又は第一方向及び第二方向に沿って複数の凸部３１の各高さＨが変化する模様であるともいえる。
【００５６】
第一模様３０の外縁領域では、複数の凸部３１の各高さＨは、各凸部３１の頂部が所定の傾きの仮想直線Ｌ４又は仮想直線Ｌ５に沿った高さとなる（図１０参照）。図９に示す装飾シート１０の第一模様３０では、仮想直線Ｌ４，Ｌ５の傾斜角θが等しくなる模様を例示している。但し、第一模様３０は、仮想直線Ｌ４，Ｌ５の傾斜角θが異なる態様としてもよい。図１０に示す例では、第一模様３０は、隣り合う２個の凸部３１の間に、繊維質基材２０の表面が露出した部分を含まない。但し、第一模様３０がシボ模様又はこれに類似した模様である場合についても、第一模様３０は、例えば図３に示すように、隣り合う２個の凸部３１の間で繊維質基材２０の表面が露出した模様としてもよい。これとは反対に、上述した第一模様３０（図１、図２、図７及び図８参照）は、繊維質基材２０の表面が露出した部分を含まない模様としてもよい。
【００５７】
図１０は、上述した通り、図９に示すＣ−Ｃ線又はＤ−Ｄ線の位置に対応する各位置で、図９に示す装飾シート１０を切断した場合に対応する模式的な断面図である。換言すれば、図１０では、図９に示す装飾シート１０との正確な同一性は、考慮されていない。即ち、図１０は、図９に示す装飾シート１０のＣ−Ｃ線断面図又はＤ−Ｄ線断面図に対応する断面図ではあるが、これらに一致した断面図ではない。
【００５８】
図９に示す装飾シート１０についても、図１及び図２に示す装飾シート１０と同様、上述したような優れた効果が得られる。そこで、発明者は、図９に示す装飾シート１０に対応するサンプル２を対象として、上述した評価１と同様の評価を行った。これにより、単独で意匠の連続的な変化を表現可能な第一模様３０で、複数の凸部３１の各高さＨが漸次変化する領域の傾斜角θを明らかにした。上述した測定方法の手順１では、図９に示す直線Ｋの位置でサンプル２を切断し、手順２でこの切断面を撮影した。この他、この評価は、上述した評価１と同じ方法にて行った。従って、この評価の測定方法に関するこの他の説明は、省略する。
【００５９】
測定方法の手順３での測定の結果、サンプル２では、最高及び最低の各凸部３１の高さＨの差ΔＨは、６２．２３５μｍであった（図４下段参照）。サンプル２では、最高及び最低の各凸部３１間の距離Ｇは、７０ｍｍであった。従って、上述した式１から、サンプル２の傾斜角θとして、０．０５０７５°が得られた。発明者は、サンプル１，２を対象とした評価結果から、意匠の連続性の観点に基づいた好ましい傾斜角θの範囲を、次のように考える。即ち、発明者は、少なくとも「０．０５０７５°≦傾斜角θ≦０．０６０４８°」を含む所定の範囲を、好ましい傾斜角θの範囲と考える。
【００６０】
（５）装飾シート１０では、第一模様３０と第二模様４０は、繊維質基材２０の表面に形成される（図１及び図２参照）。第一模様３０と第二模様４０は、隣り合う状態で、繊維質基材２０の表面に配置される。装飾シート１０では、第一模様３０と第二模様４０は、重なり合う状態で、繊維質基材２０の表面に配置されてもよい（図７及び図８参照）。２個の異なる第一模様３０と第二模様４０で、立体感を表現することができる。立体感を強調することが可能となる。第一模様３０と第二模様４０が重なり合う領域は、第一模様３０の一部と第二模様４０の一部としてもよい（図７参照）。この場合、第一模様３０と第二模様４０は、第一模様３０と第二模様４０が連続する部分で重なり合う。第一模様３０から第二模様４０への変化又は第二模様４０から第一模様３０への変化を滑らかな印象とすることができる。図８に示す装飾シート１０では、第一模様３０の全体が第二模様４０と重なり合う。第一模様３０と第二模様４０による複合的な模様とすることができる。立体感を強調することが可能となる。
【００６１】
第一模様３０と第二模様４０を重なり合う状態とする場合、第一模様３０と第二模様４０の重なり順は、諸条件を考慮して適宜決定される。図７に示す装飾シート１０では、第一模様３０が背面側とされ、第二模様４０が前面側とされている。この場合、複数の凸部３１のうち、一部の凸部３１は、表面が第二模様４０のグラデーションで模様付けされた状態となる。図８に示す装飾シート１０では、第一模様３０が前面側とされ、第二模様４０が背面側とされている。この場合、複数の凸部３１は、クリア材質による樹脂製としてもよい。繊維質基材２０の表面に第一模様３０と第二模様４０が設けられる装飾シート１０では、前述の前面側は、装飾シート１０の表面側であり、背面側は、繊維質基材２０の表面側である。
【００６２】
装飾シートでは、複数の第一模様３０を設けてもよい。装飾シートでは、複数の第二模様４０を設けてもよい。複数の第二模様４０が設けられる場合、複数の第二模様４０の１個は、第一模様３０と隣り合う状態で、繊維質基材２０の表面に配置され、複数の第二模様４０の他の１個は、第一模様３０と重なり合う状態で、繊維質基材２０の表面に配置されてもよい。この他、第二模様４０は、省略してもよい（図９参照）。この場合、繊維質基材２０の表面は、第一模様３０によって装飾される。装飾シートは、繊維質基材２０の表面を装飾する模様として、第一模様３０と、第三模様を含むようにしてもよい。第三模様は、グラデーションを含まない各種の模様を含む。第三模様は、繊維質基材２０の表面で、第一模様３０に対して、第二模様４０と同様の各位置に適宜配置されてもよい。更に、装飾シートは、繊維質基材２０の表面を装飾する模様として、第一模様３０と、第二模様４０と、前述の第三模様を含むようにしてもよい。第二模様４０と第三模様は、繊維質基材２０の表面で、第一模様３０に対して、所定の各位置に適宜配置するとよい。
【００６３】
（６）第一模様３０は、樹脂部３１として、複数の凸部３１を含む（図１、図２及び図７〜図９参照）。第一模様３０では、樹脂部３１は、複数の凸部３１を含まない樹脂製の構成としてもよい。例えば、第一模様３０は、複数の凸部３１を含まない図１１〜図１４に示すような一体的な樹脂部３１により形成されてもよい。図１１及び図１２に示す装飾シート１０では、第一模様３０は、格子状の樹脂部３１により形成される。図１３及び図１４に示す装飾シート１０では、第一模様３０は、単一又は複数の傾斜した平面による樹脂部３１により形成される。図１１及び図１３に示す第一模様３０では、繊維質基材２０の表面からの樹脂部３１の高さＨは、繊維質基材２０の表面上で、第一方向及び第二方向に沿って漸次変化する。図１２及び図１４に示す第一模様３０では、繊維質基材２０の表面からの樹脂部３１の高さＨは、繊維質基材２０の表面上で、第一方向に沿って漸次変化し、第二方向に沿って漸次変化しない。複数の凸部３１を含まない樹脂部３１では、表面の形状は、曲面状としてもよい。
【００６４】
図１１〜図１４に示す装飾シート１０では、第一模様３０と第二模様４０は、上述した図７に示す装飾シート１０と同様の配置及び重なり順とされている。但し、第一模様３０が複数の凸部３１を含まない樹脂部３１により形成される場合についても、第一模様３０と第二模様４０は、図８に示すような状態で、重なり合うようにしてもよい。この他、第一模様３０と第二模様４０は、例えば、図１及び図２に示す装飾シート１０と同様、隣り合う状態で、繊維質基材２０の表面に配置されてもよい。第一模様３０と第二模様４０の配置又は第一模様３０と第二模様４０の配置及び重なり順は、諸条件を考慮して適宜決定される。例えば、前述の決定には、装飾シート１０に対して求められるデザインが考慮される。
【００６５】
（７）第一模様３０では、樹脂部３１（複数の凸部３１）の高さＨは、第一方向に沿って、又は第一方向及び第二方向に沿って、漸次変化する（図１の部分拡大図、図３、図６−図８、図９の部分拡大図、図１１−図１４参照）。第一模様では、樹脂部（複数の凸部）の高さは、漸次変化しなくてもよい。例えば、第一模様は、樹脂部（複数の凸部）の高さが第一方向の第一側から第二側に向かうに従い漸次低くなる領域を含むが、その途中の所定の位置又は領域で、樹脂部（複数の凸部）の高さが、一旦、高くなるような態様であってもよい。第一模様における樹脂部（複数の凸部）の高さの変化の態様は、第一模様をどのようなデザインとするかに応じて適宜決定される。
【００６６】
（８）装飾シート１０は、繊維質基材２０を含み、繊維質基材２０の表面には、第一模様３０と第二模様４０が形成される（図１、図２、図７〜図９及び図１１〜図１４参照）。装飾シートでは、繊維質基材は、第一繊維質基材と第二繊維質基材を繋ぎ合わせた構成としてもよい。この場合、装飾シートでは、第一模様３０は、第一繊維質基材の表面に形成されてもよい。第二模様４０は、第二繊維質基材の表面に形成されてもよい。第一繊維質基材と第二繊維質基材は、例えば、縫製されて繋ぎ合わされる。但し、第一繊維質基材と第二繊維質基材は、縫製とは異なる手法にて繋ぎ合わされてもよい。第一繊維質基材と第二繊維質基材は、第一模様３０と第二模様４０が上述した各配置となる状態で繋ぎ合わされる。
【００６７】
（９）上述した実施形態によれば、例えば、次のような座席を特定することもできる。即ち、製品としての状態で、繊維質基材の表面に第一模様と第二模様が形成された座席を特定することもできる。この座席は、繊維質基材と、第一模様と、第二模様を含む。繊維質基材は、上記の繊維質基材２０と同様、繊維質の基材である。繊維質基材は、表面が合成樹脂により被覆されたシート状の基材であってもよい。座席は、複数の繊維質基材によって形成されてもよい。第一模様は、上記の第一模様３０と同様、繊維質基材の表面を装飾し、樹脂製の樹脂部を含む。樹脂部は、上記の樹脂部３１と同様、繊維質基材の表面に付着する。樹脂部は、上記の樹脂部３１と同様、樹脂製の複数の凸部を含んでもよい。この場合、複数の凸部は、上記の複数の凸部３１と同様、繊維質基材の表面に付着する。第一模様では、繊維質基材の表面からの樹脂部（複数の凸部）の高さは、繊維質基材の表面上で変化する。第二模様は、上記の第二模様４０と同様、繊維質基材の表面を装飾し、明度、色相及び彩度の一部又は全部が連続して変化するグラデーションを含む。
【００６８】
この座席では、第一模様と第二模様は、上述した装飾シート１０での第一模様３０と第二模様４０と同様の状態で、適宜配置される。例えば、この座席では、第一模様と第二模様は、隣り合う状態で配置される。第一模様と第二模様が隣り合う方向は、第一模様で、樹脂部（複数の凸部）の高さが変化する方向としてもよい。但し、この座席でも、第一模様と第二模様は、重なり合う状態で配置されてもよい。この場合、重なり順は、上記同様とされる。座席が複数の繊維質基材により形成される場合、第一模様と第二模様は、同一の繊維質機材の表面に形成されてもよく、又は異なる繊維質基材の表面にそれぞれ形成されてもよい。
【符号の説明】
【００６９】
１０  装飾シート、  ２０  繊維質基材、  ３０  第一模様、  ３１  樹脂部，凸部
４０  第二模様、  Ｈ  高さ、  Ｌ１，Ｌ２，Ｌ３，Ｌ４，Ｌ５  仮想直線
Ｗ１  第一間隔，第一距離、  Ｗ２  第二間隔，第二距離、  θ  傾斜角
【手続補正２】
【補正対象書類名】特許請求の範囲
【補正対象項目名】全文
【補正方法】変更
【補正の内容】
【特許請求の範囲】
【請求項１】
繊維質基材と、
前記繊維質基材の表面を装飾する第一模様と、を含み、
前記第一模様は、前記繊維質基材の表面に付着した樹脂製の樹脂部により形成され、
前記第一模様では、前記繊維質基材の表面からの前記樹脂部の高さは、前記繊維質基材の表面上で変化する、装飾シート。
【請求項２】
前記第一模様では、前記樹脂部の高さは、前記繊維質基材の表面内の任意の第一方向に沿って変化する、請求項１に記載の装飾シート。
【請求項３】
前記第一模様では、前記樹脂部の高さは、前記第一方向に沿って漸次変化する、請求項２に記載の装飾シート。
【請求項４】
前記第一模様では、前記樹脂部の高さは、前記第一方向に交差する前記繊維質基材の表面内の第二方向に沿って変化する、請求項２又は請求項３に記載の装飾シート。
【請求項５】
前記第一模様では、前記樹脂部の高さは、前記第二方向に沿って漸次変化する、請求項４に記載の装飾シート。
【請求項６】
前記樹脂部は、前記樹脂製の複数の凸部を含み、
前記第一模様は、前記繊維質基材の表面に付着した前記複数の凸部により形成され、
前記複数の凸部は、前記繊維質基材の表面からの高さが異なる複数種の凸部を含む、請求項１から請求項５の何れか１項に記載の装飾シート。
【請求項７】
前記第一模様では、前記複数の凸部は、前記繊維質基材の表面内の任意の第一方向に配列される、請求項６に記載の装飾シート。
【請求項８】
前記第一模様では、前記複数の凸部は、前記第一方向に第一間隔で配列される、請求項７に記載の装飾シート。
【請求項９】
前記第一模様では、前記複数の凸部は、前記第一方向に交差する前記繊維質基材の表面内の第二方向に配列される、請求項７又は請求項８に記載の装飾シート。
【請求項１０】
前記第一模様では、前記複数の凸部は、前記第二方向に第二間隔で配列される、請求項９に記載の装飾シート。
【請求項１１】
前記繊維質基材の表面を装飾する第二模様を含み、
前記第二模様は、明度、色相及び彩度の一部又は全部が連続して変化するグラデーションを含む、請求項１から請求項１０の何れか１項に記載の装飾シート。
【請求項１２】
前記第一模様と前記第二模様とは、隣り合う状態で、前記繊維質基材の表面に配置される、請求項１１に記載の装飾シート。
【請求項１３】
前記第一模様と前記第二模様とは、重なり合う状態で、前記繊維質基材の表面に配置される、請求項１１又は請求項１２に記載の装飾シート。
【請求項１４】
請求項１から請求項１３の何れか１項に記載の装飾シートを表地とした座席。
【請求項１５】
繊維質基材と、
前記繊維質基材の表面を装飾する第一模様と、
前記繊維質基材の表面を装飾する第二模様と、を含み、
前記第一模様は、前記繊維質基材の表面に付着した樹脂製の樹脂部により形成され、
前記第二模様は、明度、色相及び彩度の一部又は全部が連続して変化するグラデーションを含み、
前記第一模様では、前記繊維質基材の表面からの前記樹脂部の高さは、前記繊維質基材の表面上で変化する、座席。
【手続補正３】
【補正対象書類名】図面
【補正対象項目名】図９
【補正方法】変更
【補正の内容】
【図９】
2019025226.tif 000006